(57)【要約】【課題】放熱器である水−冷媒熱交換器の位置決めができ、蒸発器である空気−冷媒熱交換器の効率を向上することができる放熱器を備えた室外ユニットを提供すること。【解決手段】空気−冷媒熱交換器７に空気を通風する送風ファン９と、送風ファン９を駆動する送風モーター１８と、送風モーター１８を固定支持するモーター台１９と、水−冷媒熱交換器５を覆う断熱体１７と、断熱体１７を載置する底板１６を備え、断熱体１７を、モーター台１９の後垂直部１９ｈと底板１６の外周の立上り部１６ａの間に挟んで位置決めし、同じく、モーター台１９の前水平部１９ｅと底板１６の底面１６ｂとの間に挟んで位置決めするように構成することで、シンプルな構成となり、合理化できるとともに、断熱体１７と空気−冷媒熱交換器７の間隙を大きくすることができ、通風抵抗を減少させ、効率の向上を図ることができる室外ユニットとすることができる。【選択図】図２
2011247523.tif 000002
【特許請求の範囲】
【請求項１】
圧縮機、放熱器である水−冷媒熱交換器、減圧手段、および蒸発器である空気−冷媒熱交換器を順次環状に接続した冷凍サイクルと、前記空気−冷媒熱交換器の前方に設けられ前記空気−冷媒熱交換器に空気を通風する送風ファンと、前記送風ファンを駆動する送風モーターと、前記送風モーターを固定支持するモーター台と、前記水−冷媒熱交換器を覆う断熱体と、前記断熱体を載置する底板を備え、前記断熱体を前記モーター台で位置決めすることを特徴とする放熱器を備えた室外ユニット。
【請求項２】
前記断熱体を前記モーター台の垂直部と前記底板の外周の立上り部との間に挟んで位置決めすることを特徴とする請求項１に記載の放熱器を備えた室外ユニット。
【請求項３】
前記断熱体を前記モーター台の第１の水平部と前記底板の底面との間に挟んで位置決めすることを特徴とする請求項１に記載の放熱器を備えた室外ユニット。
【請求項４】
前記モーター台の下部に設けられた第２の水平部を前記空気−冷媒熱交換器と前記底板とで挟みこむとともに、前記第２の水平部の端部を前記底板の立上り部に固定することを特徴とする請求項１から３のいずれか１項に記載の放熱器を備えた室外ユニット。
【請求項５】
前記断熱体は、後方を前記モーター台で位置決めし、側方を前記空気−冷媒熱交換器で位置決めすることを特徴とする請求項１に記載の放熱器を備えた室外ユニット。
【請求項６】
前記モーター台は、前記送風モーターを固定支持する部分と、前記空気−冷媒熱交換器に相対する部分とに分割されていることを特徴とする請求項１に記載の放熱器を備えた室外ユニット。
【請求項７】
前記底板の前方には凹部が設けられ、前記凹部の立上り部を、前記断熱体の底部に設けられた凹部で挟み込むことを特徴とする請求項１に記載の放熱器を備えた室外ユニット。
【発明の詳細な説明】
【技術分野】
【０００１】
本発明は蒸発器である空気−冷媒熱交換器と放熱器である水−冷媒熱交換器を備えた室外ユニットに関するものである。
【背景技術】
【０００２】
従来の、この種の放熱器を備えた室外ユニットは、圧縮機、放熱器である水−冷媒熱交換器、減圧手段、および蒸発器である空気−冷媒熱交換器を環状に接続し、底板上に、前記圧縮機、放熱器である水−冷媒熱交換器、蒸発器である空気−冷媒熱交換器を載置し、前記放熱器である水−冷媒熱交換器は断熱体で覆うとともに、前記断熱体の周囲を覆うように断熱体カバーを設け、断熱体及びその内方の蒸発器である空気−冷媒熱交換器を位置決めするとともに、前記断熱体カバー上面に、蒸発器である空気−冷媒熱交換器を通風させるための送風手段を載置する構成となっている（例えば、特許文献１、特許文献２参照）。
【０００３】
図１０、図１１、図１２は、特許文献１、特許文献２に記載された従来の放熱器を備えた室外ユニットを示すものであり、図１０は内観正面図と内観上面図（断面Ａ−Ａ）、図１１は図１０の断面Ｂ−Ｂを記した要部断面図、図１２も要部断面図を示している。
【０００４】
図１０、図１１、図１２に示すように、底板１０１の上に略Ｌ字状に曲げて形成された蒸発器である空気−冷媒熱交換器１０２を配置されており、この蒸発器である空気−冷媒熱交換器１０２は複数列あり、上流側である外側列集熱熱交換器１０２ａと下流側である内側列集熱熱交換器１０２ｂとなっている。この蒸発器である空気−冷媒熱交換器１０２の前内方には、送風手段１０３があり、この送風手段１０３には送風ファン１０４と送風ファン１０４を駆動する送風モーター１０５と、送風モーター１０５を支持するモーター台１０６で構成されている。
【０００５】
放熱器である水−冷媒熱交換器１０７は、Ｌ字状の蒸発器である空気−冷媒熱交換器１０２の内下方に配されており、放熱器である水−冷媒熱交換器１０７の周囲は、断熱体１０８で覆われた状態で、底板１０１に載置されている。そして、この断熱体１０８を覆うように、断熱体カバー１０９が設けられている。
【０００６】
この断熱体カバー１０９には、連結桟１１０が載置されており、この連結桟の座部１１０ａには、蒸発器である空気−冷媒熱交換器１０２が載置されており、底板１０１と蒸発器である空気−冷媒熱交換器１０２の最下端とは間隙１１１が設けられている。そして、モーター台１０６も、この連結桟１０９に載置されている。
【先行技術文献】
【特許文献】
【０００７】
【特許文献１】特許第３７７２８８１号公報
【特許文献２】特許第３９３１８７８号公報
【発明の概要】
【発明が解決しようとする課題】
【０００８】
しかしながら、前記従来の構成では断熱体１０８を覆うように、断熱体カバー１０９が設けられているために、蒸発器である空気−冷媒熱交換器１０２へと空気を導く送風回路の通風抵抗が大きくなり、送風性能が低下して、性能が低下してしまうという課題があった。特に、図１１に示すように、蒸発器である空気−冷媒熱交換器１０２の下端は、断熱
体カバー１０９上端より下方に配されているために、蒸発器である空気−冷媒熱交換器１０２と断熱体カバー１０９の水平方向の間隙１１２が、狭くなるために、通風抵抗がより大きくなる。そして、断熱体カバー１０９は板金で構成されているために、後方にエッジ部１０９ａがあり、そのエッジ部１０９ａで、流れの剥離が生じ、風量がさらに減衰するということもあった。
【０００９】
それに対する対策として、蒸発器である空気−冷媒熱交換器の内側列集熱熱交換器１０２ｂの下端を外側列集熱熱交換器１０２ａの下端より所定長さ短くするということが行われている。ところが、このことは、蒸発器である空気−冷媒熱交換器１０２の面積が減じてしまい、効率の低下を招くという課題を有していた。
【００１０】
そのことに対して、放熱器を備えた室外ユニットの奥行きサイズを大きくして、断熱体カバー１０９と蒸発器である空気−冷媒熱交換器１０２の水平方向の隙間１１２を確保することが考えられるが、そのことは、放熱器を備えた室外ユニットの本体サイズを大きくすることとなり、設置面積が大きくなることで、設置できない場所が増えるといった設置性の悪化や、使用材料が増加することに伴う、コストアップや重量アップといったことが課題となっていた。
【００１１】
本発明は、前記従来の課題を解決するもので、断熱体カバー１０９をなくし、送風手段１０３を断熱体１０８の上方に配することで、コストダウンを図りつつ、本体のコンパクト性を維持し、送風性能の向上により蒸発器である空気−冷媒熱交換器１０２の熱効率を向上することができ、ＣＯＰを向上できる放熱器を備えた室外ユニットを提供することを目的とする。
【課題を解決するための手段】
【００１２】
前記従来の課題を解決するために、本発明の放熱器を備えた室外ユニットは、圧縮機、放熱器である水−冷媒熱交換器、減圧手段、および蒸発器である空気−冷媒熱交換器を順次環状に接続した冷凍サイクルと、空気−冷媒熱交換器の前方に設けられ空気−冷媒熱交換器に空気を通風する送風ファンと、送風ファンを駆動する送風モーターと、送風モーターを固定支持するモーター台と、−冷媒熱交換器を覆う断熱体と、断熱体を載置する底板を備え、断熱体をモーター台で位置決めするように構成したものである。
【発明の効果】
【００１３】
本発明の放熱器を備えた室外ユニットは、放熱器である水−冷媒熱交換器とそれを覆う断熱体の位置決めがモーター台と底板で行われることで、シンプルな構成となり、合理化を図ることができる。さらに、断熱体と蒸発器である空気−冷媒熱交換器の間隙を大きくし、通風抵抗も少なくすることで、効率の向上を図ることができるなど、合理化ができ、性能にすぐれた放熱器を備えた室外ユニットとすることができる。
【図面の簡単な説明】
【００１４】
【図１】本発明の実施の形態１における放熱器を備えた室外ユニットの断面図
【図２】本発明の実施の形態１における放熱器を備えた室外ユニットの要部断面図
【図３】本発明の実施の形態１における放熱器を備えた室外ユニットの内観斜視図
【図４】本発明の実施の形態１における放熱器を備えた室外ユニットの部品斜視図
【図５】本発明の実施の形態１における放熱器を備えた室外ユニットの部品二面図
【図６】本発明の実施の形態１における放熱器を備えた室外ユニットを用いた給湯機の配管回路図
【図７】本発明の実施の形態２における放熱器を備えた室外ユニットの要部断面図
【図８】本発明の実施の形態３における放熱器を備えた室外ユニットの要部断面図
【図９】本発明の実施の形態３における放熱器を備えた室外ユニットの部品図
【図１０】従来の放熱器を備えた室外ユニットの内観正面図
【図１１】従来の放熱器を備えた室外ユニットの要部断面図
【図１２】従来の放熱器を備えた室外ユニットの要部断面図
【発明を実施するための形態】
【００１５】
第１の発明は、圧縮機、放熱器である水−冷媒熱交換器、減圧手段、および蒸発器である空気−冷媒熱交換器を順次環状に接続した冷凍サイクルと、空気−冷媒熱交換器の前方に設けられ空気−冷媒熱交換器に空気を通風する送風ファンと、送風ファンを駆動する送風モーターと、送風モーターを固定支持するモーター台と、水−冷媒熱交換器を覆う断熱体と、断熱体を載置する底板を備え、断熱体をモーター台で位置決めすることを特徴としたものであり、放熱器である水−冷媒熱交換器とそれを覆う断熱体の位置決めがモーター台で行われることで、シンプルな構成となり、合理化を図ることができる。さらに、従来あった断熱体カバーをなくしても、放熱器である水−冷媒熱交換器とそれを覆う断熱体の位置決めができることで、蒸発器である空気−冷媒熱交換器と通風抵抗となる断熱体の間隙を大きくすることができ、通風抵抗をなくすことができることで、効率の向上を図ることができる。
【００１６】
第２の発明は、第１の発明において、断熱体をモーター台の垂直部と底板の外周の立上り部との間に挟んで位置決めすることを特徴としたものであり、放熱器である水−冷媒熱交換器とそれを覆う断熱体の位置決めがモーター台と底板で行われることで、シンプルな構成で、質量の大きな放熱器である水−冷媒熱交換器を保持することが可能となり、搬送時や、運転時に断熱体やそれに覆われた放熱器である水−冷媒熱交換器が移動することを防ぎ、強度面に優れた放熱器を備えた室外ユニットとすることができる。
【００１７】
第３の発明は、第１の発明において、断熱体をモーター台の第１の水平部と底板の底面との間に挟んで位置決めすることを特徴としたものであり、放熱器である水−冷媒熱交換器とそれを覆う断熱体の位置決めがモーター台と底板で行われることで、シンプルな構成で、質量の大きな放熱器である水−冷媒熱交換器を保持することが可能となり、搬送時や、運転時に断熱体やそれに覆われた放熱器である水−冷媒熱交換器が移動することを防ぎ、強度面に優れた放熱器を備えた室外ユニットとすることができる。
【００１８】
第４の発明は、第１から第３のいずれかの発明において、モーター台の下部に設けられた第２の水平部を空気−冷媒熱交換器と底板とで挟みこむとともに、第２の水平部の端部を底板の立上り部に固定することを特徴としたものであり、モーター台は上下左右に位置決めがなされ、送風モーター、送風ファンの位置決めが行われることで、送風性能の悪化や、違和音の発生を防いで、低騒音化を図ることができる。このことは同一騒音ならば、風量を増すことが可能であることを意味し、それによって、蒸発器である空気−冷媒熱交換器を通風する空気量を増すことができ、熱交換効率の向上、ひいてはＣＯＰの向上を実現できる。
【００１９】
第５の発明は、第１の発明において、断熱体は、後方をモーター台で位置決めし、側方を空気−冷媒熱交換器で位置決めすることを特徴とするものであり、これにより、以前にあった断熱体カバーがなくても、放熱器である水−冷媒熱交換器の位置決めがなされており、断熱体カバーのなくなった分、合理化を図ることができ、さらに、従来あった断熱体カバーをなくしても、放熱器である水−冷媒熱交換器とそれを覆う断熱体の位置決めができることで、蒸発器である空気−冷媒熱交換器と通風抵抗となる断熱体の間隙を大きくすることができ、通風抵抗をなくすことができることで、効率の向上を図ることができる。
【００２０】
第６の発明は、第１の発明において、モーター台は、送風モーターを固定支持する部分と、空気−冷媒熱交換器に相対する部分とに分割されていることを特徴とするものであり
、メンテナンスの際に、断熱体の取り外しが容易になり、断熱体に覆われている、放熱器である水−冷媒熱交換器の交換が容易になり、メンテナンス性を向上できる。
【００２１】
第７の発明は、第１の発明において、底板の前方には凹部が設けられ、凹部の立上り部を、断熱体の底部に設けられた凹部で挟み込むことを特徴とするものであり、放熱器である水−冷媒熱交換器、それを覆う断熱体の位置決めが容易にかつ、強固に可能となり、合理化とともに、搬送時や、運転時に断熱体やそれに覆われた放熱器である水−冷媒熱交換器が移動することを防ぎ、強度面に優れた放熱器を備えた室外ユニットとすることができる。
【００２２】
以下、本発明の実施の形態について、図面を参照しながら説明する。なお、この実施が限定されるものではない。
【００２３】
（実施の形態１）
図１は、本発明の第１の実施の形態における放熱器を備えた室外ユニットの断面図（送風ファンの中心での断面図）、図２は第１の実施の形態における放熱器を備えた室外ユニットの要部断面図であり、図１のＣ部を拡大した図である。図３は第１の実施の形態における放熱器を備えた室外ユニットの内観斜視図、図４は第１の実施の形態における放熱器を備えた室外ユニットのモーター台の斜視図、図５は第１の実施の形態における放熱器を備えた室外ユニットの断熱体の正面図と下面図、図６は第１の実施の形態における放熱器を備えた室外ユニットを用いた給湯機の冷凍サイクルおよび給湯サイクルの配管回路図である。
【００２４】
まず、図６の配管回路図を用い、本実施の形態の放熱器を備えた室外ユニットを用いた給湯機の説明を行う。この給湯機は、水道水を加熱するための放熱器を備えた室外ユニット１、放熱器を備えた室外ユニット１と配管３で接続され、加熱された温水を貯湯し、貯湯された温水と水道水を混合して所定の温度の温水を供給するためのタンクユニット２から構成されている。
【００２５】
放熱器を備えた室外ユニット１には、圧縮機４、熱伝導率の高い銅管で構成された放熱器である水−冷媒熱交換器５、膨張弁などの減圧手段６、蒸発器である空気−冷媒熱交換器７が設けられており、圧縮機４、水−冷媒熱交換器５の冷媒側回路、減圧手段６、空気−冷媒熱交換器７を順次環状に接続して閉回路を構成し、冷媒を循環させる冷凍サイクル８を構成している。また、室外ユニット１は、空気−冷媒熱交換器７に空気を搬送する送風手段としての送風ファン９を備え、空気−冷媒熱交換器７での熱交換を促進している。
【００２６】
一方、タンクユニット２に構成された給湯サイクル１０は、冷凍サイクル８を流れる冷媒と熱交換を行って水道水などを温水にかえる水−冷媒熱交換器５の水側回路と、この水−冷媒熱交換器５にて得た温水を貯める貯湯タンク１１と、貯湯タンク１１や水−冷媒熱交換器５に水道水を入水する入水管１２と、貯湯タンク１１や水−冷媒熱交換器５から温水を蛇口やシャワーの給湯端末１３に給湯する給湯管１４と、貯湯タンク１１内の低温の水を、水−冷媒熱交換器５に送水する給湯循環水ポンプ１５などで構成されている。
【００２７】
図６で示した構成部品をレイアウトした室外ユニット１が図１と図２、図３であり、付与した番号は図６と同じである。また、室外ユニット１を構成する部品を示したのが図４、図５である。
【００２８】
図１、図２、図３に示すように、室外ユニット１の最下部には底板１６が設けられており、強度を上げるために、底板１６の外周には立上り部１６ａが設けられており、底板１６の底面１６ｂは凹凸状となっている。
【００２９】
この底板１６の一方には圧縮機４が載置されている。水−冷媒熱交換器５は冷媒管５ａを内方に配し、外方に水管５ｂを配した二重管構造の熱交換器であり、コンパクトになるように螺旋形状で構成されている。そして、冷媒管５ａの内側が冷凍サイクル８を構成し、冷媒が流れる冷媒側回路となり、水管５ｂと冷媒管５ａとの間が給湯サイクル１０を構成し、温水が流れる水側回路となる。この水−冷媒熱交換器５は底板１６上の圧縮機４と相対する他方に載置されている。
【００３０】
断熱体１７は水−冷媒熱交換器５の断熱性を高めるために、発泡スチロールで構成された断熱体であり、断熱体上１７ａと断熱体下１７ｂで水−冷媒熱交換器５を挟み込んだ形をしている。１７ｅは、断熱体上１７ａと断熱体下１７ｂを接合させるための、接着テープであり、断熱体下１７ｂに放熱器である水−冷媒熱交換器５を載置したのち、断熱体上１７ａを上方から被せ、その後、接着テープ１７ｅで断熱体１７は一体化される。この断熱体下１７ｂの詳細に関しては、図５で示している。
【００３１】
断熱体下１７ｂの下面には、凸部１７ｃが設けられており、この凸部１７ｃは、底板１６の底面１６ｂの凹部に係合するように底板１６上に載置されている。なお、凸部１７ｃのかわりに断熱体下１７ｂの下面に凹部を設け、底板１６の底面１６ｂの凸部と係合するようにしてもよい。また、図３、図５で示すように、断熱体下１７ｂの側面下部には、水平凸部１７ｄが設けられている。
【００３２】
蒸発器である空気−冷媒熱交換器７は、図３で示すように、水−冷媒熱交換器５の後横部を覆うようにＬ字状に折り曲げられた形をしており、底板１６に載置されている。空気−冷媒熱交換器７は複数枚のフィン７ａを複数本の配管７ｂで貫通して形成した集熱熱交換器で構成されており、この集熱熱交換器を複数設け、外方が外側列集熱熱交換器７ｃ、前方が内側列集熱熱交換器７ｄとなっている。図１で示すようにこの二つの集熱熱交換器の高さは、ほぼ同じであり、底板１６との隙間を故意に設けていない。
【００３３】
送風手段である送風ファン９は、空気−冷媒熱交換器７の内方、断熱体１７の上方に配されおり、空気−冷媒熱交換器７に強制的に空気を通風させ、空気と冷媒の熱交換を促進する。また、送風モーター１８は送風ファン９を駆動する電動機であり、１９は、送風モーター１８を保持するモーター台である。
【００３４】
このモーター台１９の形状は、図４に斜視図を示しており、上正面から見た図（左側）と、上後面から見た図（右側）を示している。図２、図３、図４を用い説明を行う。モーター台１９の上方には上水平部１９ａがあり、ここに、図３に示ようにモーター台１９の上部を空気−冷媒熱交換器７などに固定するためのモーター台上２０が載置される。
【００３５】
モーター台１９の中央には送風モーター１８を保持するモーター支持部１９ｂが設けられている。モーター支持部１９ｂは、前方に凸状になっており、このモーター支持部１９ｂの上方と下方には、開口部上１９ｃ、開口部下１９ｄが設けられており、送風ファン９によって、空気−冷媒熱交換器７全域から、通風し、性能を上げる様になっている。
【００３６】
開口部下１９ｄの下方には、前水平部１９ｅ（本発明の第１の水平部）が、前方に突出しており、その両側には強度上げるための、フランジ部１９ｆが設けられている。そして、この前水平部１９ｅは、開口部下１９ｄより、切り起こしされて成形されており、新たに部品を追加して構成してはいない。前水平部１９ｅ後方には、斜め部１９ｇがあり、この斜め部１９ｇの下方に後垂直部１９ｈがあり、この後垂直部１９ｈ下方に、下水平部１９ｉ（本発明の第２の水平部）が設けられている。そして、下水平部１９ｉの先には、下垂直部１９ｊがあり、ここに取付バーリング穴１９ｋが設けられている。
【００３７】
このモーター台１９は、下方の取付バーリング穴１９ｋを底板１６の立上り部１６ａにビス止めされ保持される。また、モーター台１９の上方はモーター台上２０をビス止めした後、このモーター台上２０が後述する前板にビス止めされて、保持されている。
【００３８】
図３において、２１は、送風ファン９、水−冷媒熱交換器５などが配置された部分と、圧縮機４、減圧手段６などが配置された部分を隔離するための、仕切板である。この仕切板２１の前面下方を、放熱器である水−冷媒熱交換器５の往きと戻りの冷媒管５ａ、往きと戻りの水管５ｂが通過している。
【００３９】
２２、２３は、水−冷媒熱交換器５の往きと戻りの水管５ｂと、配管３をつなぐための配管接続具往き、配管接続具戻りである。２４は、室外ユニット１の送風モーター１８や圧縮機４の回転数や減圧手段６としての膨張弁の開度などのマイコン制御を行う制御盤であり、圧縮機４上方の仕切板２１上に配されており、その制御盤２４の下方には、力率をあげるためのリアクタ２５が、仕切板２１に固定されている。
【００４０】
図１において、２６は、放熱器を備えた室外ユニット１外郭を覆う外装体のうち前板であり、この前板２６は底板１６の立上り部１６ａにビス固定されている。この前板２６には、送風ファン９と同心円状の吹出し口２６ａがあり、この吹出し口２６ａには、送風ファン９と同心円状に内周面から径方向外方に向かって、略半円状に湾曲する絞り形状のベルマウス２６ｂが設けられている。室外ユニット１は、送風ファン９を回転させ、送風ファン９上流にある空気−冷媒熱交換器７から吸引して、送風ファン９前方にある前板２６の吹出し口２６ａから、吹出し風を放出することにより、空気−冷媒熱交換器７にて、熱交換を行っている。この送風ファン９の外周を覆うように配されたベルマウス２６ｂにより、送風ファン９周囲に渦流が発生するのを緩和して、円滑な吹出し風を起こることで、送風効率向上と低騒音化を実現している。また、前板２６上方の垂直部２６ｃにはモーター台と一体化された、モーター台上２０がビス止めされている。
【００４１】
２７は、送風ファン９からの吹出し風を通過させるための格子状の開口部を有する吹出しグリルであり、前板２６の吹出し口２６ａ前方に出っ張り状に設けられて、吹出し風を整流することで低騒音化を図るとともに、送風ファン９に手が触れないように保護の役割をしている。
【００４２】
２８は室外ユニット１の外装体のうち、上方からカバーする上板であり、モーター台上２０を上方から押さえつけるような形状で、モーター台１９を拘束する形となっている。
【００４３】
また、放熱器を備えた室外ユニット１のヒートポンプ式の冷凍サイクル８に用いられている冷媒は、二酸化炭素（炭酸ガス）としている。
【００４４】
以下、図面に基づいて、上記ヒートポンプ給湯機の動作を説明する。
【００４５】
圧縮機４を運転すると、高圧まで圧縮されて吐出された冷媒である二酸化炭素は、放熱器である水−冷媒熱交換器５に送られ、貯湯タンク１１の下方より、給湯循環水ポンプ１５の動力にて配管３、配管接続具往き２２を通ってきた低温水と熱交換して放熱する。これにより、加熱された低温水は、高温水となり、配管接続具戻り２３、配管３を通り、貯湯タンク１１に送られ、高温の温水として貯湯される。放熱器である水−冷媒熱交換器５から流出する冷媒は、減圧手段である膨張弁６にて減圧膨張され、蒸発器である空気−冷媒熱交換器７に送られ、送風ファン９にて送られた空気と熱交換して、蒸発器である空気−冷媒熱交換器７を通過する間に、蒸発してガス化する。このガス化した冷媒は、再度、圧縮機４に吸入され、再度圧縮される過程を繰り返す。
【００４６】
これにより貯湯タンク１１の低温水は徐々に加熱される。加熱され貯湯タンク１１に貯湯された温水は、入水管１２を通ってきた低温水と混合され、所定の温度の温水となって給湯管１４を通り、蛇口やシャワーの給湯端末１３から給湯されることで、給湯機としての動作を行う。
【００４７】
この時に、放熱器である水−冷媒熱交換器５は、タンクユニット２から送付されてくる水を、冷凍サイクル８で加熱動作を行い、温水とする役目を有している。そして、加熱されて温水となった水は、再びタンクユニット２に戻されて、貯湯タンク１１で高温貯湯されることとなる。そのため、放熱器である水−冷媒熱交換器５は、熱伝導率が高く、耐腐食性にも優れている銅で構成され、水を流す水管５ｂである銅管の内部に冷媒を流す冷媒管５ａの銅管を組入れた２重管となっている。特にここでは冷媒として、二酸化炭素が用いられており、その圧力は、エアコンに用いている冷媒（Ｒ−４１０Ａ）の３倍あり、最大で１２ＭＰａとなるために、耐圧を上げるため、銅管の肉厚を厚くしている。さらに、熱交換を行うためにその長さも、螺旋状にすることで、コンパクトにはしているが、１０ｍ以上と非常に長くなっている。そのため、放熱器である水−冷媒熱交換器５の質量は非常に大きいものとなっている。
【００４８】
放熱器である水−冷媒熱交換器５を覆う、断熱体上１７ａと断熱体下１７ｂは接着テープ１７ｅで固定されて一体にされており、その一体となった断熱体１７を、上下方向については、底板１６の底面１６ｂとモーター台１９の前水平部１９ｅで挟んで保持することで位置決めを行い、前後方向については、モーター台１９の後垂直部１９ｈと、底板１６の前方の立上り部１６ａで挟んで保持することで、位置決めを行っており、左右方向は仕切板２１と蒸発器である空気−冷媒熱交換器７の間に、断熱体１７を配し、断熱体下１７ｂの水平凸部１７ｄを蒸発器である空気−冷媒熱交換器７の側方と整合させることで位置決めを行っていることで、位置が規制されている。特に、前水平部１９ｅに関しては、フランジ部１９ｆを設けて強度向上を図っている。また、モーター台１９の下水平部１９ｉは、蒸発器である空気−冷媒熱交換器７の下方に配されており、フィン７ａで抑えられていることも、モーター台１９の強度を向上させる効果を有している。
【００４９】
これにより、以前にあった断熱体カバーがなくても、放熱器である水−冷媒熱交換器５の位置決めがなされており、シンプルな構成で、質量の大きな放熱器である水−冷媒熱交換器５を保持することが可能となり、搬送時や、運転時に断熱体やそれに覆われた放熱器である水−冷媒熱交換器５が移動することを防ぎ、強度面に優れた放熱器を備えた室外ユニット１とすることができる。また、断熱体カバーのなくなった分、合理化を図ることができ、リーズナブルな価格で、ユーザーに放熱器を備えた室外ユニットを提供できることとなる。
【００５０】
さらに、従来用いられていた断熱体カバーをなくしていることで、断熱体１７と蒸発器である空気−冷媒熱交換器７の水平方向の隙間２９は、従来よりも広くすることができる。そのため、蒸発器である空気−冷媒熱交換器７から、送風ファン９で吸引される通風の抵抗は減ずるので、その通過風量が増し、効率が向上することととなり、ＣＯＰの向上、電気代の低減となる、環境にも家計にも優しい放熱器を備えた室外ユニットとすることができる。
【００５１】
特に、通風抵抗が減ずることで、従来の様に、蒸発器である空気−冷媒熱交換器７の内側列集熱熱交換器７ｄの下端を外側列集熱熱交換器７ｃの下端より所定長さ短くすると言うことを行う必要もなくなるので、面積を室外ユニット１本体サイズの中で最大化することができ、効率をより向上させることが可能となる。
【００５２】
また、蒸発器である空気−冷媒熱交換器７の外側列集熱熱交換器７ｃの下端を、底板１６に載置することで、従来例で見られた、蒸発器である空気−冷媒熱交換器７と底板の間隙をなくしていることで、蒸発器である空気−冷媒熱交換器７の下方を通過し、熱交換に寄与しない通風をなくすことで、効率をさらに向上させることができる。
【００５３】
そして、放熱器を備えた室外ユニット１のサイズが同じ場合に、蒸発器である空気−冷媒熱交換器７の高さを高くすることができ、蒸発器である空気−冷媒熱交換器７の面積を最大に生かすことができ、蒸発器である空気−冷媒熱交換器７の面積が同一の場合は、放熱器を備えた室外ユニット１のサイズをよりコンパクトにすることができ、設置性及び、軽量化に伴う搬送性の向上を図ることができる。
【００５４】
図２では、断熱体カバーのあるように、モーター台１９があるが、このモーター台１９の幅は、図３、図４で示すように、断熱体１７の長さのわずかな範囲であり、多くはモーター台１９のない部分であり、前述した通風抵抗を阻害するものではない。
【００５５】
また、断熱体１７は発泡スチロールで成形されているために、蒸発器である空気−冷媒熱交換器７と相対する断熱体上１７ａのコーナー部１７ｆはＲ形状とすることができる。図２では、モーター台１９がコーナー部１７ｆと相対する部分にあるが、前述したように、モーター台１９の幅は、断熱体１７の長さのわずかな範囲なので、多くの箇所は、図２から、モーター台を取り除いた断面となる。そのため、蒸発器である空気−冷媒熱交換器７を通過し、水平方向の隙間２９を通過する流れ３０は、水平方向の隙間２９から、ベルマウス２６ｂ、吹出し口２６ａへ向かう途中で、スムーズに流れることで、その通風抵抗をさらに低減することができる。このことで、蒸発器である空気−冷媒熱交換器７の効率の向上をさらに高めることができることとなる。
【００５６】
また、図２に示すように、幅としては狭いが、モーター台１９においても、コーナー部１７ｆと相対する部分には斜め部１９ｇを設けることで、通風抵抗を低減する用に配慮されている。
【００５７】
さらに、上板２８を取り付けることで、底板１６〜モーター台１９〜モーター台上２０〜上板２８と上下に拘束されることで、モーター台１９に固定される送風モーター１８と送風ファン９との位置決めが行われる。それに対して、前板２６も底板１６の立上り部１６ａにビス固定されて位置が決まっており、底板１６〜前板２６〜上板２８と拘束されることで、モーター台１９、前板２６はいずれも底板１６に固定されて下方から位置が決まっていることで、前板２６に設けられたベルマウス２６ｂとモーター台１９に取り付けられた送風モーター１８、送風ファン９の位置が底板１６から決まってくることとなり、送風ファン９とベルマウス２６ｂとの同心円を確保できるようになっている。左右に関しても、モーター台１９の取付バーリング穴１９ｋを底板１６に取付け、前板２６に関してもの底板１６に取付けられることで、お互いの位置決めがなされ、送風ファン９とベルマウス２６ｂとの同心円を確保できるようになる。
【００５８】
これにより、送風ファン９とベルマウス２６ｂ同心円がずれることで生じる違和音の発生を防いで、低騒音化を図ることができる。このことは同一騒音ならば、風量を増すことが可能であることを意味し、それによって、蒸発器である空気−冷媒熱交換器７を通風する空気量を増すことができ、熱交換効率の向上を実現できる。
【００５９】
また、モーター台１９は、図３に示すように、略長方形形状であり、前水平部１９ｅを開口部下１９ｄから切り起こして成形していることで、加工前材料の面積を大きくする必要がなく、材料取りの最小化を図ることができる。このことにより、モーター台１９のコストを下げることができる。
【００６０】
以上のように、この発明により、性能向上も可能で、コンパクト化、コストダウンも可能な放熱器を備えた室外ユニットを提供することができる。
【００６１】
以上のことは、蒸発器である空気−冷媒熱交換器７の集熱熱交換器が複数列の場合に説明したが、単列であってもその効果は同じである。
【００６２】
なお、この放熱器を備えた室外ユニット１の冷凍サイクル８は冷媒として二酸化炭素を用い、臨界圧を越える圧力で運転することが好ましい。二酸化炭素を冷媒として用いることで沸き上げ温度を高温にできるので、利用できる熱量の増大と湯切れ防止性を向上することができる。比較的安価でかつ安定している二酸化炭素を冷媒に使用することで製品コストを抑えるとともに、信頼性を向上させることができる。また、二酸化炭素はオゾン破壊係数がゼロであり、地球温暖化係数も代替冷媒Ｒ４０７Ｃの約１７００分の１と非常に小さいため、地球環境に優しい製品を提供できる。ただし、その他の冷媒であっても、この発明の構成に関しては特に規定はしない。・
また、貯湯タンク１１に貯湯するのみならず、加熱保温が必要な暖房用タンク、床暖房、温水暖房のような放熱器を備えた室外ユニットであれば、種々の暖房機器に用いても良い。
【００６３】
（実施の形態２）
図７は、本発明の実施の形態２における放熱器を備えた室外ユニット１の要部断面図を示しており、図１で示したＣ部と同じ位置を拡大している。付与する図番は、実施の形態１と同じであり、異なる箇所は新たな番号を付与している。
【００６４】
３１はモーター台であり、この図より上方の形状は、実施の形態１と同じである。このモーター支持部１９ｂの下方に設けられた開口部下３１ｄは開口部下の下方には、開口部下３１ｄより切り起こして成形されたより前水平部３１ｅが設けられている。また、前水平部３１ｅには、その両側に強度上げるためのフランジ部３１ｆが設けられている。
【００６５】
３２は、モーター台の下方に配された、モーター支持台であり、斜め部３２ｇがあり、この斜め部３２ｇの下方に後垂直部３２ｈがあり、この後垂直部３２ｈ下方に、下水平部３２ｉが設けられている。そして、下水平部３２ｉの先には、下垂直部３２ｊがあり、この下垂直部３２ｊが底板１６の立上り部１６ａに固定されている。また、モーター支持台３２の前方には前垂直部３２ｍがあり、こことモーター台３１がビス３３で固定されて一体化されている。
【００６６】
この一体化されたモーター台３１とモーター支持台３２の形状は、実施の形態１のモーター台１９と同じ形状となる。この形状としているのは、放熱器である水−冷媒熱交換器５のメンテナンス性が向上するというメリットがあるからである。モーター台３１とモーター支持台３２を外し、接着テープ１７ｅ（図３を参照）を外すことで、断熱体上１７ａを取り外すことができる。放熱器である水−冷媒熱交換器５の冷媒管５ａ、水管５ｂのロー付けを外せば、放熱器である水−冷媒熱交換器５を外すことができる。それにより、放熱器である水−冷媒熱交換器５交換が可能であり、メンテナンス姓が向上することとなる。
【００６７】
特に、放熱器である水−冷媒熱交換器５は、使用する水道水の成分によっては、水道水内のカルキ等の異物が堆積する場合があり、交換することが必要となる場合がある。その作業性が向上し、メンテナンス性に優れた放熱器を備えた室外ユニットとすることができる。
【００６８】
その他の効果に関しては、実施の形態１と同じである。
【００６９】
（実施の形態３）
図８は、本発明の実施の形態３における放熱器を備えた室外ユニット１の要部断面図を示している。付与する図番は、実施の形態１と同じであり、異なる箇所は新たな番号を付与している。図９は底板１６と、断熱体下１７ｂを図示している。
【００７０】
図８、図９より、底板１６の前方には、立上り部１６ａを内方にシフトした凹部１６ｃが設けられている。この凹部１６ｃは、図９で平面図に示しているように内方に凹形状となっている。そして、底板１６の凹部１６ｃの左右には、左右立上り部１６ｄが形成される。一方、断熱体下１７ｂの前面下部には凸部前１７ｆと凹部前１７ｇが設けられている。この凹部前１７ｇに、底板１６の凹部１６ｃの立上り部１６ａが挟み込まれることとなる。さらに、断熱体下１７ｂには、凸部右１７ｈ、凸部左１７ｉがあり、ここが、底板１６の凹部１６ｃの左右立上り部１６ｄを位置決めすることとなる。つまり、底板１６の凹部１６ｃの立上り部は、断熱体下１７ｂの凹部前１７ｇにはまり込むこととなる。そのはまり込んだ断面図を示したのが図８である。
【００７１】
このため、断熱体下１７ｂは、左右方向に位置決めされるので、実施の形態１で示した水平凸部１７ｄが不要となり、断熱体下１７ｂの形態は略長方形形状となり、搬送の際にコンパクトになり、納品における才数が減ずることで、合理化が可能となる。また、実施の形態１では、断熱体下１７ｂを蒸発器である空気−冷媒熱交換器７と仕切板２１で挟み込んで保持していたが、断熱体下１７ｂと底板１６で保持できるので、組立時において、作業性が向上するとともに、断熱体下１７ｂで蒸発器である空気−冷媒熱交換器７のフィン７ａを覆い隠すことがなくなり、熱交換性能を向上させることができるなど、合理化を図りつつ、性能を向上できる。
【００７２】
その他の効果に関しては、実施の形態１と同じである。
【産業上の利用可能性】
【００７３】
以上のように、本発明にかかる放熱器を備えた室外ユニットは、強度も高く、効率の向上したコンパクトな放熱器を備えた室外ユニットとなるため、貯湯タンクを有した給湯機、暖房用貯湯タンク、床暖房あるいは温水暖房などの暖房機器の用いられるほか、暖房用装置、設備に用いても良く、高い効率向上を実現できる。
【符号の説明】
【００７４】
１  室外ユニット
２  タンクユニット
３  配管
４  圧縮機
５  水−冷媒熱交換器
５ａ  冷媒管
５ｂ  水管
６  減圧手段（膨張弁）
７  空気−冷媒熱交換器
７ａ  フィン
７ｂ  配管
７ｃ  外側列集熱熱交換器
７ｄ  内側列集熱熱交換器
８  冷凍サイクル
９  送風ファン
１０  給湯サイクル
１１  貯湯タンク
１２  入水管
１３  給湯端末
１４  給湯管
１５  給湯循環水ポンプ
１６  底板
１６ａ  立上り部
１６ｄ  左右立上り部
１７  断熱体
１７ａ  断熱体上
１７ｂ  断熱体下
１７ｃ  凸部
１７ｄ  水平凸部
１７ｅ  接着テープ
１８  送風モーター
１９  モーター台
１９ａ  上水平部
１９ｂ  モーター支持部
１９ｃ  開口部上
１９ｄ  開口部下
１９ｅ  前水平部
１９ｆ  フランジ部
１９ｇ  斜め部
１９ｈ  後垂直部
１９ｉ  下水平部
１９ｊ  下垂直部
１９ｋ  取付バーリング穴
２０  モーター台上
２１  仕切板
２２  配管接続具往き
２３  配管接続具戻り
２４  制御盤
２５  リアクタ
２６  前板
２６ａ  吹出し口
２６ｂ  ベルマウス
２６ｃ  上方の垂直部
２７  吹出しグリル
２８  上板
２９  水平方向の隙間
３０  流れ
３１  モーター台
３１ｄ  開口部下
３１ｅ  前水平部
３１ｆ  フランジ部
３２  モーター支持台
３２ｇ  斜め部
３２ｈ  後垂直部
３２ｉ  下水平部
３２ｊ  下垂直部
３３  ビス
【図１】
2011247523.tif 000003
【図２】
2011247523.tif 000004
【図３】
2011247523.tif 000005
【図４】
2011247523.tif 000006
【図５】
2011247523.tif 000007
【図６】
2011247523.tif 000008
【図７】
2011247523.tif 000009
【図８】
2011247523.tif 000010
【図９】
2011247523.tif 000011
【図１０】
2011247523.tif 000012
【図１１】
2011247523.tif 000013
【図１２】
2011247523.tif 000014